(57)【特許請求の範囲】
【請求項１】
上端部において上下方向に延びた表面を形成する立壁部と、
この立壁部の下端に連続し、表面が外側に突出するように湾曲した曲面を形成し、下端部が内側に延びており、前記曲面の上下方向の曲率半径が前側領域の左右中央で最大となり左右両側に向けて徐々に小さくなる連結部と、
この連結部の下端に連続し、内側に向けて傾斜した表面を形成する中間壁部とを有した便鉢を備えていることを特徴とする便器。
【請求項２】
前記曲面の上下方向の弧の中点が前記便鉢の前側領域の左右中央で最も低くなることを特徴とする請求項１記載の便器。
【請求項３】
前記上端部の表面が垂直又は上方に向けて外側に傾斜していることを特徴とする請求項１または２記載の便器。
【発明の詳細な説明】
【技術分野】
【０００１】
本発明は便器に関するものである。
【背景技術】
【０００２】
特許文献１は従来の便器を開示している。この便器は、立壁部、連結部、及び中間壁部を備えている。立壁部はリムの内周から内側の下方へ延びている。連結部は立壁部の下端から内側に向かって外側に突出するように湾曲した曲面によって形成され下端部が内側を向いて延びている。中間壁部は連結部の下端から内側に向かって水平方向に延びている。また、中間壁部は立壁部の上端縁と所定の距離を離して設けられている。このため、この便器は、中間壁部を覆うように立壁部の上端部を内側に向けて迫り出すオーバーハング部を形成しなくても、中間壁部の表面を流れる洗浄水が便器の外に飛び出すことを抑えることができる。また、この便器は、オーバーハング部を有していないため、便鉢の内側全体を一目で見渡すことができ、便鉢の表面の汚れを視認しやすく、便鉢の清掃を容易に行うことができる。
【先行技術文献】
【特許文献】
【０００３】
【特許文献１】特開２００５−９８００３号公報
【発明の概要】
【発明が解決しようとする課題】
【０００４】
しかし、特許文献１の便器は、連結部が急激に湾曲して内側に向きを変えて延びている。このため、この便器は、連結部に小便がぶつかった場合、立壁部の下端部に滞留するおそれがある。立壁部の下端部に滞留した小便にさらに小便がぶつかると、飛沫が発生し便鉢外へ飛散するおそれがある。
【０００５】
本発明は、上記従来の実情に鑑みてなされたものであって、小便の飛沫の発生を抑えることができる便器を提供することを解決すべき課題としている。
【課題を解決するための手段】
【０００６】
本発明の便器は、
上端部において上下方向に延びた表面を形成する立壁部と、
この立壁部の下端に連続し、表面が外側に突出するように湾曲した曲面を形成し、下端部が内側に延びており、前記曲面の上下方向の曲率半径が前側領域の左右中央で最大となり左右両側に向けて徐々に小さくなる連結部と、
この連結部の下端に連続し、内側に向けて僅かに傾斜した表面を形成する中間壁部とを有した便鉢を備えていることを特徴とする。
【０００７】
本発明の便器は、表面が外側に突出するように湾曲した曲面によって形成された連結部が立壁部と中間壁部とを連結している。便鉢の前側領域の左右中央部における連結部が、直接的に小便がぶつかることが想定される部分である。この部分が上下方向の曲率半径が最大となる曲面によって形成されている。このため、この便器は、小便が便鉢の前側領域の左右中央部の曲面にぶつかった場合、この部分の上下方向の曲率半径が大きいため、小便を流れやすくすることができる。つまり、この便器は、立壁部と連結部との境界部分に小便が滞留することを抑えることができる。
【０００８】
したがって、本発明の便器は、小便の飛沫の発生を抑えることができる。
【図面の簡単な説明】
【０００９】
【図１】実施例の便器の斜視図である。
【図２】実施例の便器を示す上面図である。
【図３】実施例の便器の左右中央断面図である。
【図４】図２における矢視Ａ−Ａ部の断面図である。
【図５】図２における矢視Ｂ−Ｂ部の断面図である。
【図６】図２における矢視Ｃ−Ｃ部の断面図である。
【図７】図２における矢視Ｄ−Ｄ部の断面図である。
【発明を実施するための形態】
【００１０】
本発明における好ましい実施の形態を説明する。
【００１１】
本発明の便器は、前記曲面の上下方向の弧の中点が前記便鉢の前側領域の左右中央で最も低くなり得る。この場合、便鉢の前側領域の左右中央における連結部が、直接的に小便がぶつかることが想定される部分であり、この部分の上下方向の弧の中点を最も低くし、便鉢の上端縁との間隔を大きくすることによって、小便の飛沫が便鉢外へ飛散し難くすることができる。
【００１２】
本発明の便器は、前記上端部の表面が垂直又は上方に向けて外側に僅かに傾斜し得る。この場合、この便器は、便鉢の表面全体を一目で見渡すことができる。このため、この便器は、便鉢の表面の汚れを視認しやすく、便鉢の清掃を容易に行うことができる。
【００１３】
次に、本発明の便器を具体化した実施例について、図面を参照しつつ説明する。
【００１４】
＜実施例＞
実施例の便器は、図１〜図４に示すように、便鉢１０、排水路３０、リム１１、周囲壁１２、支持壁１７、及び上面部５０を備えている。
【００１５】
便鉢１０は、図１、図２、及び図３に示すように、椀状をなしている。この便鉢１０は、第一立壁部１３（立壁部）、連結部２３、中間壁部１４、及び第二立壁部１５を有している。第一立壁部１３は、表面が上下方向に延びており外側に僅かに傾斜している（上下は図３における左側右側。以下同じ。）。連結部２３は、表面が第一立壁部１３の下端に連続し、外側に突出するように湾曲した曲面２３Ａが形成され下端部が内側に向かい延びている。中間壁部１４は、表面が連結部２３の下端に連続して内側に向けて下方に僅かに傾斜して延びている。第二立壁部１５は、表面が中間壁部１４の下端部から下方に向けて延びており内側に僅かに傾斜している。つまり、便鉢１０の上端部は表面が上方に向けて外側に僅かに傾斜している。また、便鉢１０の上端部と中間部との間は表面が外側に突出するように湾曲した曲面２３Ａである。また、便鉢１０の中間部は表面が内側に向けて下方に僅かに傾斜している。さらに、便鉢１０の下端部は表面が下方に向けて内側に僅かに傾斜している。
【００１６】
連結部２３の曲面２３Ａは、図１〜図３に示すように、上下方向の曲率半径が便鉢１０の前側領域２４の左右中央で最も大きくなっている（左右は図１における左側右側。以下同じ。）。
【００１７】
また、連結部２３の曲面２３Ａは、図３及び図４に示すように、上下方向の弧の中点２５が便鉢１０の前側領域２４の左右中央で最も低くなっている（前は図３における上側。以下同じ。）。
【００１８】
排水路３０は、図３に示すように、便鉢１０の下流側に連通している。この排水路３０は、第一下降流路３１、上昇流路３２、及び第二下降流路３３を有している。第一下降流路３１は、便鉢１０の下流側に連通して便鉢１０の後方に向けて下降して延びている（後は図３における下側。以下同じ。）。上昇流路３２は、第一下降流路３１の下流側に連通して便鉢１０の後方に向けて上昇して延びている。第二下降流路３３は、上昇流路３２の下流側に連通してほぼ垂直に下方に向けて延びている。第二下降流路３３は、下流側の開口部３４が下向きに開口している。この便器は、便鉢１０の下端部と、第一下降流路３１と、上昇流路３２とによって溜水部１６を形成している。
【００１９】
便鉢１０は、図２に示すように、上方から見た平面視において、表面の開口形状が前端部の曲率半径が後端部の曲率半径より小さい卵型形状をなしている。便鉢１０は、図２及び図７に示すように、第一立壁部１３の左側の後端部で上下方向の中間に吐水口１８が設けられている。吐水口１８は、外形形状が横方向に長いほぼ長円形状である。また、吐水口１８は下端縁が右側より左側が高く形成されている。
【００２０】
リム１１は、便鉢１０の上端部に連続して前方及び左右方向の外側にほぼ水平に拡がっている。リム１１は、図１及び図２に示すように、前端部から左右領域２６の中央部に向けて徐々に幅を狭く形成されている。つまり、この便器は、上方から見た平面視において、便器の左右の幅を拡げることなく便鉢１０の左右領域２６の上端部の周方向の曲率半径を小さくし、便鉢１０の前側領域２４の上端部の周方向の曲率半径を大きくすることができる。これに伴い、この便器は、便鉢１０の前側領域２４における連結部２３の周方向の曲率半径も大きくすることができる。この形状によっても、この便器は、連結部２３の前端部の左右中央部の曲面２３Ａに小便がぶつかった場合、小便が左右方向に拡がって流れやすくすることができる。つまり、この便器は、第１立壁部１３と連結部２３との境界部分に小便が滞留することを抑えることにより小便の飛沫が便鉢１０外に飛散することを抑えることができる。
【００２１】
周囲壁１２は、図３、図４、図５、及び図６に示すように、リム１１の外周端部に連続して下方に延びている。この周囲壁１２は便鉢１０の前及び左右を覆っている。この周囲壁１２はリム１１の外周端部から下方に向けて内側に向けて僅かに凹むように湾曲している。周囲壁１２は下端面が床面に設置される。支持壁１７は、図３に示すように、便鉢１０の下部と周囲壁１２の下端部１９の前側とを繋いで形成されている。
【００２２】
上面部５０は、図１、図２、及び図３に示すように、便鉢１０の上端部に連続して後方向に拡がっている。この便器は、上面部５０の後方に便鉢１０に供給する洗浄水を貯留する洗浄タンク（図示せず）を載置する洗浄タンク載置部５１を有している。この便器は、上面部５０の下方において上面部と間を離して下面部５４が設けられている。
【００２３】
この便器は、図３に示すように、第一立壁部１３、上面部５０、下面部５４、及び洗浄タンク載置部５１の前壁５１Ａで囲まれた給水空間５５を形成している。この給水空間５５は、便器の後部の上端部に設けられている。給水空間５５は、洗浄タンク載置部５１の前壁５１Ａに設けられた給水孔５６を介して洗浄タンク載置部５１に連通している。また、この給水空間５５は、吐水口１８を介して便鉢１０内に連通している。この便器は、洗浄タンク載置部５１側から給水口５６にディストリビューター（図示せず）が挿通される。
【００２４】
上面部５０は、図１及び図２に示すように、垂直方向に貫設された一対の貫通孔５７を有している。これら貫通孔５７は便器の左右中心線に対して対称位置に貫設されている。これら貫通孔５７は上面部５０から下面部５４まで貫通している。これら貫通孔５７は給水空間５５と隔てられている。これら貫通孔５７は便座装置を固定する取付具（図示せず）が挿通される。
【００２５】
この便器は、図３〜図７に示すように、便鉢１０、リム１１、周囲壁１２、及び支持壁１７で囲まれた空洞部２０を有している。また、この便器は、図１に示すように、後部の下端部に一対のフランジ部５８を備えている。これらフランジ部５８は、便器の左右中心線に対して対称位置に設けられている。これらフランジ部５８は、それぞれの中間部に貫通穴５９が設けられている。これら貫通穴５９は、便器の左右中心線に対して対称位置に貫設されている。これら貫通穴５９は、フランジ部５８のそれぞれに垂直方向に貫設されている。これら貫通穴５９は、便器を床面に設置する際に固定する取付具（図示せず）が挿通される。
【００２６】
このような構成を有する便器は、表面が外側に突出するように湾曲した曲面２３Ａによって形成された連結部２３が第一立壁部１３と中間壁部１４とを連結している。便鉢１０の前側領域２４の左右中央部における連結部２３が、直接的に小便がぶつかることが想定される部分である。この部分が上下方向の曲率半径が最大となる曲面によって形成されている。このため、この便器は、小便が便鉢１０の前側領域２４の左右中央部の曲面２３Ａにぶつかった場合、この部分の上下方向の曲率半径が大きいため、小便を流れやすくすることができる。つまり、この便器は、第一立壁部１３と連結部２３との境界部分に小便が滞留することを抑えることができる。
【００２７】
したがって、本発明の便器は、小便の飛沫の発生を抑えることができる。
【００２８】
また、実施例の便器は、曲面２３Ａの上下方向の弧の中点２５が便鉢１０の前側領域２４の左右中央で最も低くなっている。これにより、この便器は、便鉢１０の前側領域２４の左右中央部における連結部２３の上下方向の弧の中点２５を最も低くし、便鉢１０の上端縁との間隔を大きくすることによって、小便の飛沫が便鉢１０外へ飛散し難くしている。
【００２９】
また、実施例の便器は、便鉢１０の上端部の表面が上方に向けて外側に僅かに傾斜している。このため、この便器は、便鉢１０の表面全体を一目で見渡すことができる。このため、この便器は、便鉢１０の表面の汚れを視認しやすく、便鉢１０の清掃を容易に行うことができる。
【００３０】
本発明は上記記述及び図面によって説明した実施例に限定されるものではなく、例えば次のような実施例も本発明の技術的範囲に含まれる。
（１）実施例では、洗浄水の供給にディストリビューターを用いたが、水道管を直結する方法等でもよい。
（２）実施例では、便鉢の上端部の表面が上方に向けて外側に僅かに傾斜しているが、垂直又は上方に向けて内側に傾斜していてもよい。
（３）実施例では、吐水口が便鉢の左側の後端部に１箇所設けてあったが、複数設けてもよい。
（４）実施例では、水洗式であったが、水洗式でなくてもよい。
（５）実施例では、便器の左右の幅を拡げることなく、便鉢の左右端部の曲率半径を大きくしているが、便器の左右の幅を拡げてもよい。
（６）実施例では、排水路の開口部が下向きに開口しているが、後ろ向きに開口していてもよい。
【符号の説明】
【００３１】
１０…便鉢
１３…第一立壁部（立壁部）
１４…中間壁部
２３…連結部
２３Ａ…曲面
２４…前側領域
２５…弧の中点
【図１】
0006284237.tif 000002
【図２】
0006284237.tif 000003
【図３】
0006284237.tif 000004
【図４】
0006284237.tif 000005
【図５】
0006284237.tif 000006
【図６】
0006284237.tif 000007
【図７】
0006284237.tif 000008